(57)【要約】      （修正有）【課題】踵部分における違和感をなくし、履き心地が良好であると共に、皮膚の角質化を解消するために必要な時間にわたって連続着用しても、足に対する締め付け感を大幅に軽減することができる足用サポータを提供する。【解決手段】伸縮性を呈する非透水性樹脂シートを中間層として有する布帛が筒状体に縫製されてなる足用サポータ１０であって、筒状体は、使用者の足に着用させた状態において、接地部３０以外の部位で縫製されていると共に、使用者の足の甲側を起点として接地部３０側に延伸し、所要幅を有するスリット２４が形成されている。【選択図】図３
0003178375.tif 000002
【実用新案登録請求の範囲】
【請求項１】
伸縮性を呈する非透水性樹脂シートを中間層として有する布帛が筒状体に縫製されてなる足用サポータであって、
前記筒状体は、使用者の足に着用させた状態において、接地部以外の部位で縫製されていると共に、使用者の足の甲側を起点として前記接地部側に延伸し、所要幅を有するスリットが形成されていることを特徴とする足用サポータ。
【請求項２】
前記筒状体は屈曲部を有する形状に形成されていて、
前記スリットは、前記屈曲部の内側を起点として前記屈曲部の外側に延伸する配置で形成されていることを特徴とする請求項１記載の足用サポータ。
【請求項３】
前記筒状体は、少なくとも三陰交および京骨の位置を被覆可能な長さに形成されていることを特徴とする請求項１または２記載の足用サポータ。
【請求項４】
前記筒状体は、使用者の足に着用させた際の形態がスニーカーソックス型となる形態に形成されていることを特徴とする請求項１記載の足用サポータ。
【考案の詳細な説明】
【技術分野】
【０００１】
本考案は足用サポータに関する。
【背景技術】
【０００２】
空気が乾燥すると踵部分の皮膚が角質化することにより、見た目が悪くなることがある。また、皮膚が角質化した部分にひび割れが生じると、激しい痛みを伴うこともあり、踵部分における皮膚の角質化は不具合を生じることが多い。
このような踵部分の皮膚の角質化を解消するための足用サポータとしては、たとえば特許文献１や特許文献２に開示されているようなものが知られている。
【０００３】
特許文献１および特許文献２には、伸縮性および保湿性を有する布帛により形成された足用サポータの構成が開示されている。これらの足用サポータによれば、保湿性を有する布帛により踵部分の皮膚が被覆されることになり、保湿クリームなどを塗ることなく、着用するだけで踵部分の皮膚の角質化を防止することができるため、広く好適に用いられていた。
【先行技術文献】
【特許文献】
【０００４】
【特許文献１】特開２０００−３４６０２号公報
【特許文献２】特開２００３−１５９２７２号公報
【考案の概要】
【考案が解決しようとする課題】
【０００５】
しかし、上記に例示される足用サポータは、使用者の足に着用した状態において踵部分に縫製部分があるため、縫製部分の凹凸により歩行時等において違和感があり、履き心地の改善において改善の余地があった。
また、足用サポータは踵部分において布帛の接合端部どうしを突き合わせた状態で縫製が行われていた。このような縫製を行った足用サポータを着用した場合には、縫製部分が伸びることにより隙間部分が生じてしまうため、当該隙間部分から水分が外部に放出されてしまい、保湿性能が損なわれてしまうという課題があった。
【０００６】
そして、足用サポータは着用部分から放出される汗の蒸発を防ぐことによって皮膚の角質化を防止するという機構が採用されているため、長時間にわたって着用されることが多い。このため、足用サポータの素材に伸縮性に富んだ布帛を用いたとしても、足用サポータを長時間着用していると足に対する締め付け感が強いと感じることが多い。このように足用サポータを着用することにより足に対する締め付け感が生じてしまうと、皮膚の角質化防止効果が得られる前に足用サポータの着用をやめてしまうことがあった。
以上のように、踵部分の皮膚の角質化を解消するための足用サポータに対しては、歩行時における履き心地の改善や、着用時における足への締め付け感の軽減について改善が望まれている。
【０００７】
そこで本願考案は、踵部分における違和感をなくし、履き心地が良好であると共に、保湿性能を損なうことがなく、かつ、皮膚の角質化を解消するために必要な時間にわたって連続着用しても、足に対する締め付け感を大幅に軽減することができる足用サポータの提案を目的としている。
【課題を解決するための手段】
【０００８】
上記課題を解決するために本考案者は鋭意研究を行った結果、本願考案者は以下の構成に想到した。
すなわち、伸縮性を呈する非透水性樹脂シートを中間層として有する布帛が筒状体に縫製されてなる足用サポータであって、前記筒状体は、使用者の足に着用させた状態において、接地部以外の部位で縫製されていると共に、使用者の足の甲側を起点として前記接地部側に延伸し、所要幅を有するスリットが形成されていることを特徴とする足用サポータである。これによれば、接地面に縫製部分による凹凸がないため、足用サポータを着用した状態であっても快適に歩行することができる。また、足の甲部分にスリットが形成されていることにより、着用時における足への締め付け感が大幅に軽減されることになり、長時間の着用であっても足がむくんでしまうなどの不具合がなく、確実に皮膚の角質化を解消することができる時間にわたって快適に連続着用することができる。
【０００９】
また、前記筒状体は屈曲部を有する形状に形成されていて、前記スリットは、前記屈曲部の内側を起点として前記屈曲部の外側に延伸する配置で形成されていることが好ましい。これにより、可動部分である足首部分における締め付け感を大幅に軽減させることができる。
【００１０】
また、前記筒状体は、少なくとも三陰交および京骨の位置を被覆可能な長さに形成されていることがさらに好ましい。この構成により、冷えを感じやすいとされる部分が被覆されることになるため、保温効果の高い足用サポータを提供することができる。皮膚の角質化は特に冬季に生じやすいため、保温効果が高い足用サポータは特に好都合である。
【００１１】
また、前記筒状体は、使用者の足に着用させた際の形態がスニーカーソックス型となる形態に形成されていることが好ましい。これにより、夏場であっても快適に着用することができるため、通念にわたって踵部分の皮膚の角質化を解消させることも可能になる。
【考案の効果】
【００１２】
本考案にかかる足用サポータによれば、踵の接地面に縫製部分による凹凸がないため、足用サポータを着用した状態であっても違和感なく快適に歩行することができる。また、接地部以外の部位で縫製されているので、着用時に縫製部分の伸びによる隙間が踵部分に生じることがなく、踵部分の保湿を確実におこなうことができる。
さらに、足の甲側を起点として接地部側に延伸するスリットが形成されていることにより、足の甲部分における締め付け感を大幅に軽減される。これらにより、履き心地が良好であり、足用サポータを長時間にわたって着用しても、足がむくんでしまうなどの不具合がなく、確実に皮膚の角質化を解消することができる時間にわたって足用サポータを連続着用することが可能になる。
【図面の簡単な説明】
【００１３】
【図１】第１実施形態にかかる足用サポータの縫製前状態を示す布帛の展開図である。
【図２】第１実施形態にかかる足用サポータの平面図である。
【図３】図２に示した足用サポータの着用状態を示す斜視図である。
【図４】第２実施形態にかかる足用サポータの縫製前状態を示す布帛の展開図である。
【図５】第２実施形態にかかる足用サポータの平面図である。
【図６】図５に示した足用サポータの着用状態を示す斜視図である。
【考案を実施するための最良の形態】
【００１４】
（第１実施形態）
以下、本考案にかかる足用サポータ１０の実施形態について、図面に基づいて説明する。図１は、本実施形態にかかる足用サポータの縫製前状態を示す布帛の展開図である。
本実施形態にかかる足用サポータ１０は、図１に示すような平面形態を有する布帛２０を縫製することにより形成される。図１に示す布帛２０の平面形態は、いわゆる立体裁断することにより得られている。布帛２０は、伸縮性を呈する非透水性樹脂シートが蒸着された複合布帛により中間層が形成されていて、複合布帛を表面素材（いずれも図示せず）により挟み込んでなるものである。
【００１５】
中間層である非透水性樹脂シートは、たとえばポリウレタン樹脂シートを好適に用いることができる。このポリウレタン樹脂シートは、市販されているものを使用できるが、熱硬化性のポリウレタン樹脂を公知の材料により形成した基材の一面側に塗布しつつ加熱して架橋させることによって成形することもできる。また、基材の一面側にポリウレタン樹脂シートを接着してもよい。このようなポリウレタン樹脂シートは良好な弾性を有するため、基材の伸縮や、着用部位の運動動作に対して容易に追従することができる。
【００１６】
本実施形態では、図１に示す布帛２０を図１中の破線部分２１を折り曲げ線として折りたたんだ際に重複する端縁部位２２Ａ，２２Ｂ，２２Ｃ，２２Ｄのうち、布帛２０により筒状体を形成し、筒状体形状を維持することができる端縁部位２２Ａ，２２Ｂのみに縫製を施している。他の端縁部位２２Ｃ，２２Ｄには、ほつれの発生を防止するために縫製を施してもよい。なお、図１中の符号２４はスリットである。
【００１７】
図２は、図１に示した布帛２０を縫製して得られた足用サポータ１０である。図３は、図２に示す足用サポータを着用した状態を示している。本実施形態にかかる足用サポータ１０は布帛２０により筒状体形状に形成されており、いわゆるスニーカーソックス型をなしている。このような足用サポータ１０を着用する際には、一方の湾曲開口端部２６から着用者のつま先４０を挿入させ、他方の開口端部２７からつま先４０を露出させるようにして着用すればよい。
【００１８】
図２および図３からも明らかなとおり、足用サポータ１０は、接地部３０を除く部位に縫製部分２３がある。すなわち、「接地部を除く部位」とは、前述の端縁部位２２Ａ，２２Ｂであり、換言すれば、踵の後方からアキレス腱を覆う部位および足の甲の位置である。このような縫製部分２３の配置を採用することにより、通常時において最も荷重がかかる踵の接地部３０には縫製部分２３による凹凸部が存在せず、踵の接地部３０における違和感（ごわごわ感）がなく快適な着用感を得ることができる。
また、布帛２０に形成されたスリット２４は、足用サポータ１０を着用した際において、足の甲側を起点として接地部３０（折り曲げ線２１）に向って所要幅寸法で延設されている。スリット２４の幅寸法は５ｍｍ〜１０ｍｍであることが好ましいが、スリット２４の幅寸法はこの幅寸法範囲に限定されるものではない。このような形態のスリット２４を配設することにより、足用サポータ１０を着用した際における足への締め付け力が大幅に軽減され、長時間にわたって快適な状態を保ちながら着用することができる。
【００１９】
さらに、本実施形態にかかる足用サポータ１０は、縫製部分２３が踵の接地部３０を除いた部分に配設されているので、着用時に縫製部分が伸びることにより踵の接地部３０に隙間が形成されることがない。したがって保湿性が低下してしまう課題の解決ができ、保湿作用を有する布帛２０を皮膚の角質化を解消したい踵の接地部３０を確実に被覆して保湿することができる。これにより、踵部分における皮膚が角質化した部分を万遍なくしかも効率的に解消させることも可能になる。また、足の甲部分から接地部３０側に延伸するスリット２４が配されていることにより、足用サポータ１０の着用時における足に対する締め付け感を大幅に軽減することができる。
これらにより、踵部分の皮膚の角質化を解消するために必要な時間にわたって快適に足用サポータ１０を連続着用することができる。
【００２０】
（第２実施形態）
本実施形態にかかる足用サポータ１０は、図４に示す布帛２０を縫製することにより得ることができる。本実施形態で使用している布帛２０の構造は、第１実施形態と同様である。第１実施形態と同様の構成部分については、第１実施形態と同じ符号を用いることによりここでの詳細な説明は省略する。
図４および図５からも明らかなとおり、本実施形態にかかる足予サポータ１０は、略Ｌ字状をなす屈曲部２８を有している点、スリット２４の配設位置、スリット２４の上方位置に延長被覆部２９を有している点、端縁部位２２Ｃが直線状に形成されている点において第１実施形態にかかる足用サポータ１０の形態と相違している。本実施形態において布帛２０を縫製する対象となる端縁部位は、２２Ａ，２２Ｂ，２２Ｅ，２２Ｆである。
【００２１】
第１実施形態においては、足用サポータ１０を着用した際において、スリット２４を足の甲部分を起点として接地部３０に向けて延設させていたが、本実施形態においては、足用サポータ１０の屈曲部２８の内側から屈曲部２８の外側位置である円弧状に形成された端縁部位２２Ａに向う配置で延設されている。これは、足用サポータ１０により足首部分全体が被覆される構造になっているため、足用サポータ１０を着用したことによる足への締め付け感の軽減はもちろんのこと、足首の動きを拘束する締め付け力を軽減させるためのものでもある。
【００２２】
また、延長被覆部２９を設けることにより、脛４２側の三陰交(図示せず)の部分、つま先４０側の京骨（図示せず）の部分がそれぞれ布帛２０により被覆されることになり、足の保温効果が向上する。特に三陰交を被覆することにより、冷えの感覚が軽減されやすくなり、特に冬季の着用において好都合である。
【００２３】
本実施形態にかかる足用サポータ１０は、第１実施形態における足用サポータ１０の効果を含むのはもちろんのこと、足用サポータ１０の着用による保温効果が格段に向上する点において特に優れている。
【００２４】
以上、本考案について実施形態に基づいて本考案にかかる足用サポータ１０を詳細に説明してきたが、本考案にかかる足用サポータ１０は以上の実施形態に限定されるものではない。たとえば、以上の実施形態において説明した足用サポータ１０は、いずれもスリット２４が一箇所のみに配設されている形態について説明しているが、スリット２４を複数箇所に配設することも可能である。スリット２４の配設数および配設位置の少なくとも一方を調整することにより、足用サポータ１０の着用時の締め付け具合を好みに合わせて設定することができ、好都合である。
【００２５】
また、第２実施形態においては、屈曲部２８の部分にスリット２４を配設しているが、この位置に限定されるものではなく、図５中の端縁部位２２Ｂ上にスリット２４を配設してもよい。
また、以上の実施形態においては、スリット２４はいずれも長方形形状に形成されているが、この形状に限定されるものではなく、たとえば、三角形形状などの他の形状にスリット２４を形成することもできる。
【符号の説明】
【００２６】
１０  足用サポータ
２０  布帛
２１  破線部分
２２Ａ，２２Ｂ，２２Ｃ，２２Ｄ、２２Ｅ，２２Ｆ  端縁部位
２３  縫製部分
２４  スリット
２６，２７  開口端部、
２８  屈曲部
２９  延長被覆部
３０  接地部
４０  つま先
４２  脛
【図１】
0003178375.tif 000003
【図２】
0003178375.tif 000004
【図３】
0003178375.tif 000005
【図４】
0003178375.tif 000006
【図５】
0003178375.tif 000007
【図６】
0003178375.tif 000008